(57)【要約】【課題】封入空間を不正に開放した場合の痕跡が確実に残り、且つ封入空間を正規に開放する際の作業を容易に行うことが可能な制御基板封入構造の提供。【解決手段】カシメカバー１１０のストッパ収容部１１１は、係止片進入孔８２内の所定の係合位置へのカシメピン１００の係止片１０２の進入を、カシメピン１００のストッパ部１０５を収容する所定の進入位置でのみ許容する。係止片進入孔８２は、係合位置へ進入した係止片１０２と係合する係合領域８２ａと係合しない非係合領域８２ｂとを含む。係合領域８２ａは、進入位置で係止片挿通孔８２に進入して係合位置に達した係止片１０２と係合する位置に配置される。ストッパ部１０５を収容したストッパ収容部１１１は、係合領域８２ａから非係合領域８２ｂへの係止片１０２の移動を阻止するように、ストッパ部１０５の移動を規制する。【選択図】図９
2012100743.tif 000002
【特許請求の範囲】
【請求項１】
組付状態で封入空間を区画する第１ケース体と第２ケース体とを有し、前記封入空間に制御基板が収容される制御基板封入構造であって、
軸部と、該軸部の一端側に設けられた可撓性の係止片と、前記軸部の他端側に設けられたストッパ部と、を有する係止部材と、
ストッパ収容部を有し、前記第１ケース体又は前記第２ケース体に固定的に保持される規制部材と、を備え、
前記第１ケース体は、前記係止部材の前記係止片が挿通する係止片挿通孔を有し、
前記第２ケース体は、前記係止片が進入する係止片進入孔を有し、
前記規制部材の前記ストッパ収容部は、前記組付状態において、前記第１ケース体側から前記係止片挿通孔を挿通した前記係止片の前記係止片進入孔内の所定の係合位置への進入を、前記ストッパ部を収容する所定の進入位置でのみ許容し、
前記係止片進入孔は、前記係合位置へ進入した係止片と係合する係合領域と係合しない非係合領域とを含むとともに、前記係合領域と前記非係合領域との間の前記係止片の移動を許容し、
前記係合領域は、前記進入位置で前記係止片挿通孔に進入して前記係合位置に達した前記係止片と係合する位置に配置され、
前記係止片と前記係合領域との係合は、前記第１ケース体と前記第２ケース体との相対移動を規制し、
前記ストッパ部を収容した前記ストッパ収容部は、前記係合領域から前記非係合領域への前記係止片の移動を阻止するように、前記ストッパ部の移動を規制する
ことを特徴とする制御基板封入装置。
【請求項２】
請求項１に記載の制御基板封入構造であって、
前記規制部材は、前記組付状態で前記第１ケース体と前記第２ケース体との間に係合して固定的に保持される係合保持部を有し、前記第１ケース体と前記第２ケース体とが離間した分離状態で前記第１ケース体及び前記第２ケース体から離脱可能である
ことを特徴とする制御基板封入構造。
【発明の詳細な説明】
【技術分野】
【０００１】
本発明は、パチンコ機やスロットマシンなどの遊技機を含む各種電子機器の制御基板封入構造に関する。
【背景技術】
【０００２】
特許文献１には、基板を出し入れできるケース本体と、ケース本体の収納口を覆蓋する蓋と、覆蓋状態を維持する封止部とを有する基板収納ケースに用いられる制御基板封止構造が記載されている。封止部は、ケース本体に設けられた本体側封止部と、蓋体に設けられ収納口が蓋により閉塞されると本体側封止部と結合する蓋側封止部と、基板収納口を蓋で閉塞した状態で本体側封止部及び蓋側封止部に挿通される橋絡部材とを有し、橋絡部材は、これを抜き取り不能に本留めする第１係合片、第２係合片を有し、蓋側封止部は、本留前に第２係合片により橋絡部材の進行を阻止して橋絡部材を蓋側封止部に留置く仮留め部を有する。
【０００３】
制御基板を基板収納口から取り出すには、強制的に橋絡部材を切断するかまたは係合片を変形させて、橋絡部材の本留め状態を解除しなければならず、橋絡部材には必ず痕跡が残る。橋絡部材の痕跡の有無は、不正行為が行われたか否かの判別に役立つ。
【先行技術文献】
【特許文献】
【０００４】
【特許文献１】特開２００７−８２６４８公報
【発明の開示】
【発明が解決しようとする課題】
【０００５】
特許文献１の構造では、制御基板の交換などの正規の目的で制御基板を取り出す場合であっても、橋絡部材の切断や変形等によって本留め状態を解除する必要がある。しかし、本留めされた橋絡部材は、本体側収納体の内部空間に完全に挿入された状態となるため、架橋部材の切断や変形等が困難であり、制御基板の取り出し作業が煩雑となる。
【０００６】
本発明は、上記実状に鑑みてなされたものであり、封入空間を不正に開放した場合の痕跡が確実に残り、且つ封入空間を正規に開放する際の作業を容易に行うことが可能な制御基板封入構造の提供を目的とする。
【課題を解決するための手段】
【０００７】
上記目的を達成するため、本発明は、組付状態で封入空間を区画する第１ケース体と第２ケース体とを有し、封入空間に制御基板が収容される制御基板封入構造であって、係止部材と規制部材とを備える。
【０００８】
係止部材は、軸部と、軸部の一端側に設けられた可撓性の係止片と、軸部の他端側に設けられたストッパ部とを有する。規制部材は、ストッパ収容部を有し、第１ケース体又は第２ケース体に固定的に保持される。第１ケース体は、係止部材の係止片が挿通する係止片挿通孔を有する。第２ケース体は、係止片が進入する係止片進入孔を有する。
【０００９】
規制部材のストッパ収容部は、上記組付状態において、第１ケース体側から係止片挿通孔を挿通した係止片の係止片進入孔内の所定の係合位置への進入を、ストッパ部を収容する所定の進入位置でのみ許容する。係止片進入孔は、係合位置へ進入した係止片と係合する係合領域と係合しない非係合領域とを含むとともに、係合領域と非係合領域との間の係止片の移動を許容する。係合領域は、進入位置で係止片挿通孔に進入して係合位置に達した係止片と係合する位置に配置される。係止片と係合領域との係合は、第１ケース体と第２ケース体との相対移動を規制する。ストッパ部を収容したストッパ収容部は、係合領域から非係合領域への係止片の移動を阻止するように、ストッパ部の移動を規制する。
【００１０】
上記構成では、制御基板を封入する場合、封入空間に制御基板を収容して第１ケース体と第２ケース体とを組付状態とした後、係止部材を、所定の進入位置で第１ケース体側から係止片挿通孔へ挿入する。係止部材が完全に挿入されて係止片が係合位置に達すると、係止片が係止片挿通孔の係合領域と係合し、ストッパ部が規制部材のストッパ収容部に収容される。係止片と係合領域との係合は、第１ケース体と第２ケース体との相対移動を規制し、ストッパ収容部に収容されたストッパ部は、係合領域から非係合領域への係止片の移動を阻止するので、封入空間を開放するためには、係止部材又は規制部材を破壊し又は変形させる必要があり、封入空間を不正に開放すると、係止部材又は規制部材にその痕跡が確実に残る。従って、痕跡の有無を視認することによって、不正行為が行われたか否かを容易に判別することができる。
【００１１】
また、制御基板の交換などの正規の目的で封入空間を開放する場合には、規制部材のストッパ収容部を破壊し又は変形させ、係止片を係合領域から非係合領域へ移動させる。非係合領域への移動によって、係止片を容易に引き抜くことができ、第１ケース体と第２ケース体とを分離して封入空間を開放することができる。また、組付状態において、ストッパ収容部は係止部材のストッパ部の外側に配置されるので、ストッパ収容部を破壊し又は変形させる作業を比較的簡単に行うことができる。従って、封入空間を正規に開放する際の作業を容易に行うことができる。
【００１２】
さらに、封入空間を開放する際に係止片を非係合領域から引き抜くことができるので、係止片の変形や破損が発生し難く、開放した封入空間に制御基板を再封入する場合に同じ係止部材を再使用することができる。
【００１３】
また、規制部材は、上記組付状態で第１ケース体と第２ケース体との間に係合して固定的に保持される係合保持部を有してもよい。この場合、規制部材は、第１ケース体と第２ケース体とが離間した分離状態で第１ケース体及び第２ケース体から離脱可能である。
【００１４】
上記構成では、規制部材のストッパ収容部を破壊し又は変形させ、係止片を非係合領域から引き抜き、第１ケース体と第２ケース体とを分離すると、破壊又は変形した規制部材が第１ケース及び第２ケースから離脱可能となるので、開放した封入空間に制御基板を再封入する場合には、破壊又は変形した規制部材のみを交換すればよい。従って、規制部材が第１ケース体又は第２ケース体に一体的に設けられている場合に比べて、交換部品を小型化することができ、コストの削減を図ることができる。
【発明の効果】
【００１５】
本発明によれば、封入空間を不正に開放した場合の痕跡が確実に残り、且つ封入空間を正規に開放する際の作業を容易に行うことができる。
【図面の簡単な説明】
【００１６】
【図１】スロットマシンの外観を示す斜視図である。
【図２】前面扉を取り外した状態のスロットマシンの内部の構成を示す斜視図である。
【図３】収納箱と基板収納ケースとを示す斜視図である。
【図４】基板収納ケースを示す斜視図である。
【図５】カバーとケース本体とを示す分解斜視図である。
【図６】本体側取付板部とカバー側取付板部とカシメピンとカシメカバーとを示す斜視図である。
【図７】本体側取付板部とカバー側取付板部とカシメカバーとを示す斜視図である。
【図８】本体側取付板部とカシメカバーとを示す斜視図である。
【図９】図６に対応する図であり、（ａ）平面図、（ｂ）は正面図、（ｃ）は側面図、（ｄ）は（ａ）のＸｄ−Ｘｄ矢視断面図である。
【図１０】カシメピンの回転によって係止片が非係合領域に移動した状態を示す平面図である。
【図１１】係止片進入孔の他の例を示す平面図である。
【発明を実施するための形態】
【００１７】
以下、発明の実施の形態例を図面を参照して説明する。なお、本実施形態では、メダルによって遊技を行う回胴式遊技機（スロットマシン）を例に挙げて説明するが、本発明は、遊技盤の遊技領域に遊技球を発射して遊技する弾球遊技機などの他の遊技機や、遊技機以外の各種電子機器にも適用可能である。
【００１８】
本形態例のスロットマシン２の筺体３は、大別して、正面に開口部４を有する収納箱５と、収納箱５の開口部４を開閉自在に塞ぐ前面扉６とから構成されている。前面扉６は、収納箱５の上部開口４ａを開閉自在に塞ぐ上扉７と、筺体の下部開口４ｂを開閉自在に塞ぐ下扉８とから構成されている。
【００１９】
上扉７には３個の図柄表示窓９〜１１が設けられ、各々の表示窓の奥に第１〜第３リール１２ａ〜１２ｃが回転自在に組み込まれている。周知のように、第１〜第３リール１２ａ〜１２ｃの外周には様々な図柄が一定ピッチで配列され、リールが停止した状態では対応する表示窓を通して１リール当たり３個の図柄が観察される。これにより、各リールの図柄を１個ずつ組み合わせた直線状の入賞ラインが横３本斜め２本の合計５本設定されている。
【００２０】
上扉７における図柄表示窓８〜１０の下方には、クレジット枚数表示窓１５が設けられている。クレジット枚数表示窓１５の奥には、クレジット枚数表示装置（図示省略）が設けられている。スロットマシン２では５０枚を限度に適正なメダルを貯留することが可能になっており、クレジット枚数表示装置は貯留されているメダルの枚数をクレジット枚数表示窓１５を介して表示する。クレジット枚数表示窓１５の側方にはエラー表示窓１６が設けられている。エラー表示窓１６の奥には、エラー表示窓１６を通してエラーコードを表示させるエラーコード表示装置（図示省略）が設けられている。機械動作、遊技動作に異常がある場合等には、エラー表示窓１６を通して異常に応じたエラーコードが表示されるようになっている。
【００２１】
下扉８には操作パネル２０が設けられている。この操作パネル２０には、１枚ベットボタン２１、ＭＡＸベットボタン２２、精算ボタン２３、スタートレバー２４、第１〜第３ストップボタン２５〜２７などの操作ボタンが設けられている。また、この操作パネル２０にはメダル投入口２８が設けられている。なお、これら操作ボタンやメダル投入口２８の機能については周知であるため、詳細については省略する。
【００２２】
前面扉６を開けると、収納箱５の内部には、リールユニット３０、電源装置３１、及びホッパーユニット３２が設けられている。収納箱５は、底板３５、側板３６、天板３７及び背板３８（図３参照）から形成されており、収納箱５の内部における鉛直方向の略中央部で２枚の側板３６の間には、水平方向に仕切り板３９が横架されている。この仕切り板３９は収納箱５の内部を上下２つに仕切るためのものであり、収納箱５の内部は、仕切り板３９によって上収納部５ａと下収納部５ｂとに仕切られる。
【００２３】
上収納部５ａにおいて、仕切り板３９の上面にはリールユニット３０が載置されている。リールユニット３０は、第１〜第３リール１２ａ〜１２ｃと、特に図示しないが第１〜第３リール１２ａ〜１２ｃを回転させるためのステッピングモータを有している。
【００２４】
下収納部５ｂにおいて、仕切り板１２の下面には電源装置３１が取り付けられている。電源装置３１の前面側には、スロットマシン２の主電源のオンとオフとを切り換えるための電源スイッチ３１ａが設けられている。この電源スイッチ３１ａをオンにすると主電源が投入されて各種制御装置に電源が供給される。
【００２５】
また、下収納部５ｂにおいて、底板３５の上面にはメダルの払出し装置であるホッパーユニット３２が載置されている。ホッパーユニット３２は、遊技の実行によりメダル投入口２８から投入されたメダルを貯留するメダル貯留箱３２ａと、ホッパー装置３２ｂとから構成されている。ホッパー装置３２ｂから払い出されたメダルは、メダル払い出し口３３を経てメダル受け皿３４に払い出される。
【００２６】
図３に示すように、上収納部５ａにおける背板３８の前面３８ａの上部には、電子回路基板４０を収納した基板収納ケース４１が組み付けられている。電子回路基板４０の基材は矩形状の薄板からなる。図４及び図５に示すように、電子回路基板４０の実装面（表面）４０ａには、ＣＰＵ（Ｃｅｎｔｒａｌ Ｐｒｏｃｅｓｓｉｎｇ Ｕｎｉｔ）４２ａ及びスロットマシン２の遊技動作プログラムを記憶したＲＯＭ（Ｒｅａｄ Ｏｎｌｙ Ｍｅｍｏｒｙ）４２ｂなどの各種回路部品が実装されている。また、電子回路基板４０の正面斜視図（図４及び図５）における実装面４０ａの右下には円柱状のキーシリンダ４３と円柱状の設定変更ボタン４４とが立設されている。
【００２７】
スロットマシン２では、遊技モードと抽選テーブル設定モードとが設定されている。遊技モードでは、遊技が実行可能となる。遊技モードで遊技が開始されると、ハズレ又は当たりが抽選によって決定され、当たりが抽選されたときに特典が遊技者に付与される。ハズレ又は当たりを決定するための抽選は電子回路基板４０のＣＰＵ４２ａを用いて行われる。抽選テーブル設定モードでは、当たりの抽選確率が互いに異なる複数の抽選テーブルの中から１つを選択して、その選択した抽選テーブルを遊技で用いるように設定することが可能となる。
【００２８】
図５に示すように、キーシリンダ４３は、円筒状の本体部４３ａと、本体部４３ａの内部に回動可能に設けられ、設定キー４５を差し込むことで、オフ位置とオン位置との間で回動する回動部４３ｂとからなり、回動部４３ｂには、設定キー４５を挿入するためのキー穴４３ｃが形成されている。また、キーシリンダ４３は、その先端が、後述するカバー５１をケース本体５０に取り付けた際に露呈孔５１ｆから突出する長さで形成されており、実装面４０ａに実装されている回路部品のうち、実装面４０ａからの高さが最も高い回路部品となっている。
【００２９】
設定変更ボタン４４は、抽選テーブル設定モードにおいて抽選テーブルの選択時に操作されるものであり、プッシュ式のボタンとなっている。設定変更ボタン４４は、その先端が、後述するカバー５１をケース本体５０に取り付けた際に露呈孔５１ｆから突出する長さで形成されている。
【００３０】
ＣＰＵ４２ａは、スタートレバー２４が操作されたことを契機に入力される遊技スタート信号に応答してＲＯＭ４２ｂに格納された遊技実行プログラムに基づいて第１〜第３リール１２ａ〜１２ｃを回転させるとともに遊技の処理を開始する。
【００３１】
ＣＰＵ４２ａは図示しない乱数発生器と乱数値サンプリング回路とを含み、遊技が開始される毎に１つの乱数値を抽選により決定する。ＣＰＵ４２ａは、遊技が開始される毎に１つの乱数値を抽選により決定し、この決定された乱数値に応じて、現在実行された遊技でどのような当選役を与えるかを決定する。
【００３２】
ＲＯＭ４２ｂには、当たりの抽選確率が互いに異なる６つの抽選テーブルが記憶されている。したがって、選択された抽選テーブルによって、遊技におけるメダルの払出し確率が異なることになる。
【００３３】
抽選テーブルは、通常モードでの遊技でサンプリングされた乱数値が、ＢＢモードに移行する権利を与えるＢＢ、ＲＢモードに移行する権利を与えるＲＢ、所定枚数のメダルの払出しだけを行う小役当選図柄に対応する小役、メダルの投入なしに同じベット数で次回の遊技を行う権利を与えるリプレイ、一切当たりを発生させないハズレなどのいずれの図柄に属しているかの判定に用いられる。この判定はＣＰＵ４２ａで行われる。なお、小役当選図柄は複数種類あり、それぞれに配当メダルが割り当てられている。そして、サンプリングされた乱数値がいずれの当選図柄に属した値であるかによって当選の種類と図柄が決められる。このようにＣＰＵ４２ａでは乱数値と６つの抽選テーブルのうちのいずれか１つを用いて当たりか否かが決定される。
【００３４】
ホッパー装置３２ｂは、ＣＰＵ４２ａで決定されたハズレ又は当たりの当選役の種類に応じて規定枚数の配当メダルをメダル受け皿３４に払い出す。なお、当選役の種類ごとに配当メダルの枚数を決めた配当テーブルはＲＯＭ４２ｂに格納されており、ＣＰＵ４２ａがこれを読み取ってホッパー装置３２ｂを駆動させる。
【００３５】
スロットマシン２が設置される遊技場の管理者が、抽選テーブルの種類を変更する場合、先ず設定キー４５をキー穴４３ｃに差し込み、回動部４３ｂをオン位置まで回転させた後に、電源スイッチ３１ａをオンにしてスロットマシン２の主電源を投入すると、設定変更プログラムが起動し、抽選テーブル設定モードになる。抽選テーブル設定モードでは、設定変更ボタン４４を押下操作することにより６つの抽選テーブルの中から１つが選択される。なお、６つの抽選テーブルには当たりの抽選確率の低い抽選テーブルから高い抽選テーブルにかけて順に１〜６までの設定値が割り振られており、設定キー４５をキー穴４３ｃに差し込み、回動部４３ｂをオン位置まで回転させた後に、電源スイッチ３１ａをオンにしてスロットマシン２の主電源を投入するとクレジット枚数表示窓１５を通して設定値が表示される。遊技場の管理者は表示された設定値を確認しながら設定変更ボタン４４を押下操作して設定値を選択する。
【００３６】
設定変更ボタン４４によって所望の抽選テーブルを選択した後、回動部４３ｂをオン位置からオフ位置に回転させて、設定キー４５をキー穴４３ｃから引き抜くと、設定変更ボタン４４によって選択された抽選テーブルが確定し、遊技モードに移行する。また、クレジット枚数表示窓１５に表示された設定値は非表示となる。遊技モードでは、その確定した抽選テーブルを用いて遊技が行われる。このようにキーシリンダ４３及び設定変更ボタン４４は、当たりの抽選確率が互いに異なる複数の抽選テーブルの中から１つを選択して設定する操作部材として機能する。
【００３７】
図４及び図５に示すように、基板収納ケース４１は、ケース本体（第２ケース体）５０とカバー（第１ケース体）５１とから構成されている。ケース本体５０とカバー５１とは、いずれも透明なＡＢＳ樹脂（アクリロニトリル−ブタジエン−スチレン樹脂）などの合成樹脂で成形されている。ケース本体５０にカバー５１が取り付けられた状態（以下、組付状態と称する）において、ケース本体５０とカバー５１とは、電子回路基板（制御基板）４０が収容される封入空間を区画する。なお、基板収納ケース４１に関する以下の説明において、上下方向及び左右方向は、図４及び図５の上下方向及び左右方向にそれぞれ対応する。
【００３８】
ケース本体５０は、箱状に形成された本体部５０ａと、この本体部５０ａの右側面５０ｂに一体成形された本体側取付板部８０とから構成されている。本体部５０ａは、矩形状の底板５２ａと、この底板５２ａの四方を囲んでいる側板５２ｂとから構成されている。底板５２ａは、電子回路基板４０よりも僅かに大きく形成されている。底板５２ａの内面５２ｃは平面状に形成されている。本体部５０ａには、電子回路基板４０を出し入れするための開口５０ｄが内面５２ｃに対面するように形成されている。電子回路基板４０は、開口５０ｄを通して本体部５０ａの内面５２ｃに取り付けられる。電子回路基板４０が内面５２ｃに取り付けられると、実装面４０ａが開口５０ｄから露呈される。
【００３９】
本体側取付板部８０は、本体部５０ａ側の矩形平板状の本体側基部８３と、６箇所の本体側取付部８１とを一体的に有する。本体側取付部８１は、右側面５０ｂの長手方向に沿って所定のピッチで直線状に並ぶように本体側基部８３から突出している。各本体側取付部８１には、係止片進入孔８２が形成されている。本体側基部８３には、所定のピッチで離間する２箇所の取付孔（ネジ孔）５０ｃが形成されている。本体部５０ａの上面５０ｆ及び下面５０ｇにおける左側端部と略中央部と右側端部とには、係止突起５０ｈがそれぞれ形成されている。係止突起５０ｈは、ケース本体５０の背面側から前面側に向けて肉厚が薄くなるように三角柱状に形成されている。このように構成されているケース本体５１は、上収納部５ａにおける背板３８の前面３８ａに組み付けられる。
【００４０】
カバー５１は、ケース本体５０に取り付けられた電子回路基板４０の実装面４０ａを覆うものである。カバー５１は、長板状の本体部５１ａと、本体部５１ａの上側の先端を９０°の角度で折り曲げられた形状で形成された上曲げ部５１ｂと、本体部５１ａの下側の先端を９０°の角度で折り曲げられた形状で形成された下曲げ部５１ｃと、本体部５１ａの右側に配置されたカバー側取付板部９０とから構成されている。本体部５１ａの表面５１ｄは平面状に形成されており、この表面５１ｄは、カバー５１がケース本体５０に取り付けられた際にケース本体５０に取り付けられている電子回路基板４０の実装面４０ａに対して略平行となるように形成されている。
【００４１】
カバー側取付板部９０は、矩形平板状のカバー側基部９３と、本体側取付部８１に対応する６箇所のカバー側取付部９１を一体的に有する。カバー側基端部９３の上端面と下端面とは、上曲げ部５１ｂの内面と下曲げ部５１ｃの内面とにそれぞれ固着されている。カバー側取付部９１は、本体部５１ａの右側縁に沿って所定のピッチで直線状に並ぶようにカバー側基部９３から突出する。各カバー側取付部９１には、係止片挿通孔９２が形成されている。係止片挿通孔９２には、後述するカシメピン（係止部材）１００が挿入される。カバー側基部９３には、カバー５１をケース本体５０に取り付けるための２箇所の取付孔５１ｅが、取付孔５０ｃに対応するように所定のピッチで離間して形成されている。組付状態では、６対の本体側取付部８１とカバー側取付部９１とがそれぞれ重なり、係止片進入孔８２と係止片挿通孔９２とが連通し、取付孔５０ｃと取付孔５１ｅとが連通する。後述する６個のカシメカバー（規制部材）１１０は、組付状態の本体側取付板部８０とカバー側本体取付板部９０との間に固定的に保持され、６箇所のカバー側取付部９１にそれぞれ対応して配置される。本体部５１ａの表面５１ｄにおける中央部よりも右側で取付孔５１ｅの左側には、キーシリンダ４３及び設定変更ボタン４４を露呈するための露呈孔５１ｆが形成されている。
【００４２】
本体部５１ａの表面５１ｄにおける中央部の上下端部のそれぞれには、後述する遮蔽扉６０を回動自在に支持するための上支持部５１ｇ及び下支持部５１ｈが一体成形されている。上支持部５１ｇ及び下支持部５１ｈには、後述する回動シャフト６１を挿通するための挿通孔（図示省略）がそれぞれ形成されている。
【００４３】
上支持部５１ｇの左側であって上曲げ部５１ｂの中央部よりも右側には、ねじりバネ６３の第１腕部６３ｂを係止するための略Ｌ字状のバネ係止部５１ｑが形成されている。上曲げ部５１ｂ及び下曲げ部５１ｃには、左側端部と略中央部と右側端部とに係止突起５０ｈを挿入するための係合孔５１ｒがそれぞれ形成されている。
【００４４】
遮蔽扉６０は、カバー５１をケース本体５０に取り付けた際に露呈孔５１ｆから露呈されるキーシリンダ４３及び設定変更ボタン４４を覆うものである。遮蔽扉６０は、露呈孔５１ｆから露呈しているキーシリンダ４３及び設定変更ボタン４４を覆う遮蔽位置とキーシリンダ４３及び設定変更ボタン４４を露呈する露呈位置との間で変位するようにカバー５１の表面５１ｄに開閉自在に軸着されている。遮蔽扉６０の本体部６０ａは箱体であり、この箱体の底面に相当する本体部６０ａの前面６０ｂは平面状に形成されている。
【００４５】
本体部６０ａの左側壁には、この左側壁を鉛直方向に貫通する貫通孔（図示省略）が形成されている。本体部６０ａの上面の左側端部には、ねじりバネ６３の第２腕部６３ｃを係止するための凸状のバネ係止部６０ｄが一体成形されており、このバネ係止部６０ｄには、ねじりバネ６３の第２腕部６３ｃを挿入するための凹状のバネ挿入凹部６０ｅが形成されている。
【００４６】
ねじりバネ６３は、コイル状に巻回された中心部と、この中心部から外側に直線上に延びる第１腕部６３ｂ及び第２腕部６３ｃとから構成されている。回動シャフト６１は、円柱状の本体部と、本体部の上端部に一体に形成された本体部よりも径の大きい円盤状の鍔部６１ｂとからなる。回動シャフト６１の本体部を、ねじりバネ６３の中心部６３ａ、上支持部５１ｇの挿通孔、遮蔽扉６０の貫通孔（図示省略）、下支持部５１ｈの挿通孔の順に挿通させると、遮蔽扉６０は、遮蔽位置と露呈位置との間で回動可能な状態でカバー５１の表面５１ｄに取り付けられ、ねじりバネ６３によって露呈位置から遮蔽位置に向けて（図中Ｃ方向に）付勢される。
【００４７】
キーシリンダ４３及び設定変更ボタン４４を使用しないとき（抽選テーブルの設定操作を行わないとき）には、遮蔽扉６０がねじりバネ６３の付勢力を受けて常に遮蔽位置に保たれ、キーシリンダ４３及び設定変更ボタン４４が使用不能な状態となる。キーシリンダ４３及び設定変更ボタン４４を使用する場合、ねじりバネ６３の付勢力に抗して遮蔽扉６０を遮蔽位置から露呈位置に回転させることによってキーシリンダ４３及び設定変更ボタン４４が露呈され、キーシリンダ４３及び設定変更ボタン４４が使用可能な状態となる。
【００４８】
次に、本体側取付板部８０とカバー側取付板部９０とカシメピン１００とカシメカバー１１０とについて、図６〜図１０を参照して説明する。なお、これらに関する以下の説明において、上下方向は、図６〜図８の上下方向に対応する。また、カシメピン１００及びカシメカバー１１０は、６対の本体側取付部８１及びカバー側取付部９１に対してそれぞれ同様に設けられている。また、図６〜図１０は、６対の本体側取付部８１及びカバー側取付部９１のうち、図４の下端側の２対のみを抽出して図示したものである。
【００４９】
本体側取付板部８０とカバー側取付板部９０とカシメピン１００とカシメカバー１１０とは、いずれも合成樹脂で成形されている。
【００５０】
図６及び図９（ｄ）に示すように、カシメピン１００は、軸部１０１と係止片１０２と上板部１０３と連結部１０４とストッパ部１０５とを一体的に有する。上板部１０３は、円板状であり、軸部１０１は、上板部１０３の下面の略中心から略垂直下方に直線状に伸びる。係止片１０２は、軸部１０１の下端から斜め上方へ延びる１対の可撓性板部からなるクリップ形状であり、軸部１０１の一端に向かって先細りしている。ストッパ部１０５は、矩形板状であり、連結部１０４は、軸部１０１の上端の外周面とストッパ部１０５の外側面とを連結する。
【００５１】
図８及び図９（ｄ）に示すように、本体側基部８３の上面側には、本体側係合凹部形成面８４が形成され、図９（ｄ）に示すように、カバー側基部９３の下面側には、カバー側係合凹部形成面９４と係合突部９５とが形成されている。組付状態において、本体側係合凹部形成面８４とカバー側係合凹部形成面９４と係合突部９５とは、係合凹部１２０を区画する。本体側基部８３には、係合凹部１２０と本体側基部８３の下面側とを連通する係合保持部挿通孔８５が形成されている。
【００５２】
図６〜図９に示すように、カシメカバー１１０は、ストッパ収容部１１１と３箇所の縦壁部１１２と下板部１１３と連設部１１４と係合保持部１１５とを一体的に有する。ストッパ収容部１１１は、４辺のうち１辺が開口するコ字状の枠体であり、ストッパ収容部１１１の内側には、カシメピン１００のストッパ１０５の収容空間が区画されている。ストッパ収容部１１１は、収容したストッパ１０５の回転移動（カシメピン１００の回転）を規制するように、ストッパ１０５よりも僅かに大きく形成されている。下板部１１３は、ストッパ収容部１１１の下方に配置され、３箇所の縦壁部１１２は、ストッパ収容部１１１の３辺からそれぞれ下方へ延びてストッパ収容部１１１と下板部１１３とを連結する。連設部１１４は、ストッパ収容部１１１の開口方向に向かって下板部１１３から連続的に直線状に延びる板形状であり、係合保持部１１５は、連設部１１４の先端から上方へ曲折して延びている。係合保持部１１５の上端には、ストッパ保持部１１１側に向かって突出する係止突起１１５ａが突設されている。
【００５３】
ケース本体５０とカバー５１とが離間した状態（以下、分離状態と称する）で、本体側取付板部８０の下方から係合保持部挿通孔８５に係合保持部１１５を挿入し、係止突起１１５ａを本体側係合凹部形成面８４の上方に突出させて、ケース本体５０にカバー５１を取り付けると、係合保持部１１５（係止突起１１５ａ）は、係合凹部１２０と係合して本体側取付板部８０とカバー側取付板部９０との間に固定的に保持され、カシメカバー１１０は、所定の取付位置に保持される。この状態で、連設部１１４は、本体側取付部の下面に沿って延び、ストッパ収容部１１１の開口側は、カバー側取付部９１の上部の外側面に対向する。
【００５４】
組付状態において、カシメピン１００の係止片１０２は、カバー側取付部９１の係止片挿通孔９２に挿入される。カシメカバー１１０の上記所定の取付位置は、カシメピン１００が係止片挿通孔９２に挿入された際に、ストッパ収容部１１１がストッパ部１０５を収容可能な位置に設定されている。カシメピン１００を所定の進入位置（回転位置）で係止片挿入孔９２に挿入すると、ストッパ部１０５がストッパ収容部１１１に収容されて、カシメピン１００が完全に挿入される。一方、カシメピン１００を所定の進入位置以外の回転位置で係止片挿入孔９２に挿入すると、ストッパ部１０５がストッパ収容部１１の上面に当接してカシメピン１００の挿入を阻止するため、ストッパ部１０５はストッパ収容部１１１に収容されず、カシメピン１００は完全に挿入されない。なお、係止片挿入孔９２には、カシメピン１００が完全に挿入された状態で、上板部１０３の下面に当接してカシメピン１００の挿入方向への過剰な移動を阻止するストッパ片９２ａが突設されている。
【００５５】
組付状態において、カシメピン１００が係止片挿通孔９２に完全に挿入されると、カシメピン１００の係止片１０２は、本体側取付部８０の係止片進入孔８２内の所定の係合位置へ進入する。係止片進入孔８２には、係合位置に達した係止片１０２と係合する係合領域８２ａと係合しない非係合領域８２ｂとが設けられている。係合領域８２ａは、係止片進入孔８２の内周面から突出して対峙する一対の突片であり、非係合領域８２ｂは、係止片進入孔８２の内周面のうち係合領域（突片）８２ａが突出していない領域である。係合領域８２ａは、係合位置に達した係止片１０２と係合する位置に配置されている。係止片１０２は、係合領域８２ａを通過する際に撓んで縮径され、係合領域８２ａの通過直後に復元して、係合領域８２ａの下面側に係合する。係止片１０２と係合領域８２ａとの係合は、ケース本体５０とカバー５１との相対移動（互いに離間する方向への移動）を規制する。また、この係合状態において、カシメピン１００の回転（移動）は、ストッパ収容部１１１によって規制される。一方、カシメピン１００が係止片挿通孔９２に完全に挿入されない場合は、係止片１０２は、係合位置まで進入せず、係合領域８２ａと係合することもない。すなわち、ストッパ収容部１１１は、組付状態において、係止片挿通孔９２を挿通した係止片１０２の係合位置への進入を、ストッパ部１０５を収容する進入位置でのみ許容する。
【００５６】
カシメカバー１１０を保持せずに組付状態とした場合には、ストッパ収容部１１１によってカシメピン１００の回転が規制されないため、係合位置の係止片１０２は、カシメピン１００の回転に応じて係合領域８２ａと非係合領域８２ｂとの間を移動する（図１０参照）。なお、係止片挿入孔９２の上部には、カシメピン１００の上記回転時に連結部１０４の可動領域となる切欠状の凹部９２ｂが形成されている。
【００５７】
電子回路基板４０を基板収納ケース４１に収納して、その基板収納ケース４１を筺体３の内部に設置する場合、先ず、図示しない取付部材（例えば、ビス、工業用接着剤など）により、実装面４０ａが開口５０ｄから露呈されるように電子回路基板４０をケース本体５０の内面５２ｃに取り付ける。また、６個のカシメカバー１１０の係合保持部１１５を本体側取付板部８０の係合保持部挿通孔８５にそれぞれ挿入し、係止突起１１５ａを本体側係合凹部形成面８４の上方に突出させておく。電子回路基板４０をケース本体５０に取り付け、係合保持部１１５を係合保持部挿通孔８５に挿入した後、カバー５１の裏面と開口５０ｄとを対向させるとともに、キーシリンダ４３と設定変更ボタン４４とが露呈孔５１ｆから露呈されて遮蔽扉６０によって覆われるようにケース本体５０とカバー５１との位置を合わせながらケース本体５０の係止突起５０ｈをカバー５１の係合孔５１ｒに挿入すると、係止突起５０ｈが係合孔５１ｒに係合し、開口５０ｄはカバー５１と遮蔽扉６０とによって塞がれ、６個のカシメカバー１１０は、それぞれ所定の取付位置に保持される。そして、図４に示すように、ビス７０をカバー５１の取付孔５１ｅを介してケース本体５０の取付孔５０ｃにビス締めする。
【００５８】
カバー５１の取付孔５１ｅを介してケース本体５０の取付孔５０ｃビス締めした後、６個のカシメピン１００を、それぞれ所定の進入位置で係止片挿通孔９２へ挿入する。カシメピン１００が完全に挿入されて係止片１０２が係合位置に達すると、係止片１０２が係止片挿通孔８２の係合領域８２ａと係合し、ストッパ部１０５がカシメカバー１１０のストッパ収容部１１１に収容される。これにより、ケース本体５０とカバー５１とが固定され、封入空間に収容された電子回路基板４０は、何人も接触できないように防護される。
【００５９】
電子回路基板４０を基板収納ケース４１に収納した後、ケース本体５０における底板５２ａの外面（内面５２ｃの裏面）を上収納部５ａにおける背板３８の前面３８ａに対面するように配置して、図示しない取付部材（例えば、ビス、工業用接着剤など）を用いて前面３８ａに基板収納ケース４１を固定する。
【００６０】
本形態例では、組付状態において、係止片１０２と係合領域８２ａとの係合は、ケース本体５０とカバー５１との分離方向への相対移動を規制し、ストッパ収容部１１１に収容されたストッパ部１０５は、係合領域８２ａから非係合領域８２ｂへの係止片１０２の移動を阻止するので、封入空間を開放するためには、カシメピン１００又はカシメカバー１１０を破壊し又は変形させる必要があり、封入空間を不正に開放すると、カシメピン１００又はカシメカバー１１０にその痕跡が確実に残る。従って、痕跡の有無を視認することによって、不正行為が行われたか否かを容易に判別することができる。
【００６１】
また、電子回路基板４０の交換などの正規の目的で封入空間を開放する場合には、ストッパ収容部１１１の一部（例えば、２箇所の角部）をニッパ等によって切断し、ストッパ１０５の収容空間が拡がるようにストッパ収容部１１１を変形させ、図１０に示すように、ストッパ１０５を回転移動させて、係止片１０２を係合領域８２ａから非係合領域８２ｂへ移動させる。非係合領域８２ｂへの移動によって、係止片１０２を容易に引き抜くことができ、ケース本体５０とカバー５１とを分離して封入空間を開放することができる。また、組付状態において、ストッパ収容部１１１はストッパ部１０５の外側に配置されるので、ストッパ収容部１１１を破壊して変形させる作業を比較的簡単に行うことができる。従って、封入空間を正規に開放する際の作業を容易に行うことができる。
【００６２】
また、封入空間を開放する際に係止片１０２を非係合領域８２ｂから引き抜くことができるので、係止片１０５の変形や破損が発生し難く、開放した封入空間に電子回路基板を再封入する場合に同じカシメピン１００を再使用することができる。
【００６３】
さらに、分離状態では、カシメカバー１１０がケース本体５０及びカバー５１から離脱可能となるので、開放した封入空間に電子回路基板を再封入する場合には、破損したカシメカバー１１０のみを交換すればよい。従って、カシメカバー１１０がケース本体５０及びカバー５１に一体的に設けられている場合に比べて、交換部品を小型化することができ、コストの削減を図ることができる。
【００６４】
以上、本発明者によってなされた発明を適用した実施形態について説明したが、この実施形態による本発明の開示の一部をなす論述及び図面により本発明は限定されることはない。すなわち、この実施形態に基づいて当業者等によりなされる他の実施形態、実施例及び運用技術等は全て本発明の範疇に含まれることは勿論である。
【００６５】
例えば、正規の目的で封入空間を開放する場合に、カシメカバー１１０ではなく、カシメピン１００の一部を破壊（例えば連結部１０４を切断）してもよい。
【００６６】
また、係止片進入孔の形状は、上記に限定されるものではなく、例えば、図１１に示すように、幅狭の係合領域１２１ａと幅広の非係合領域１２１ｂとが隣接して連続的に形成された係止片進入孔１２１であってもよい。係合領域１２１ａの幅は、係止片１０２と係合する長さに設定され、非係合領域１２１ｂの幅は、係止片１０２と係合しない長さに設定される。係合領域１２１ａに係合した係止片１０２（図１１（ａ）参照）を、非係合領域１２１ｂへスライド移動させることによって（図１１（ｂ）参照）、係止片１０２を引き抜くことができる。
【００６７】
また、カシメカバー１１０を、ケース本体５０及びカバー５１に一体的に形成してもよい。また、取付孔５０ｃ、取付孔５１ｅ及びビス７０を省略してもよい。
【符号の説明】
【００６８】
２：スロットマシン
４０：電子回路基板（制御基板）
４１：基板収納ケース
５０：ケース本体（第２ケース体）
５１： カバー（第１ケース体）
６０：遮蔽扉
８０：本体側取付板部
８１：本体側取付部
８２：係止片進入孔
８２ａ：係合領域
８２ｂ：非係合領域
８３ 本体側基部
９０：カバー側取付板部
９１：カバー側取付部
９２：係止片挿入孔
９３：カバー側基部
１００：カシメピン（係止部材）
１０２：係止片
１０５：ストッパ部１０５
１１０：カシメカバー（規制部材）
１１１：ストッパ収容部
１１５：係合保持部
１２０：係合凹部
１２１：係止片進入孔
１２１ａ：係合領域
１２１ｂ：非係合領域
【図１】
2012100743.tif 000003
【図２】
2012100743.tif 000004
【図３】
2012100743.tif 000005
【図４】
2012100743.tif 000006
【図５】
2012100743.tif 000007
【図６】
2012100743.tif 000008
【図７】
2012100743.tif 000009
【図８】
2012100743.tif 000010
【図９】
2012100743.tif 000011
【図１０】
2012100743.tif 000012
【図１１】
2012100743.tif 000013